(57)【要約】【課題】エレベータのメンテナンス作業に関する作業効率を向上させる。【解決手段】作業員が乗場ドア５に近接する乗場操作盤ユニット６の点検作業を終了して、これに取り付けられたＩＣタグ１にＩＣタグリーダ／ライタ２を近接させると、ＩＣタグ１に記憶された当該乗場操作盤ユニット６に関する各種情報を用いて読み取って、これを携帯端末３に出力する。携帯端末３は入力した情報を保存する。携帯端末３は作業員の事務所にある端末装置４に情報を転送する。端末装置４はこの転送された情報にしたがって予め定められた様式にしたがったメンテナンス作業報告書データを生成して、これをモニタ表示する。【選択図】      図１
2007084191.tif 000002
【特許請求の範囲】
【請求項１】
エレベータの部品に取り付けられた記憶手段に記憶された当該部品に関する情報を読み取る読み取り手段と、
この読み取り手段により読み取った情報をもとにエレベータの保守作業内容に関するデータを生成する手段と
を備えたことを特徴とするエレベータ保守管理システム。
【請求項２】
前記部品に関する更新の必要が生じた情報を入力する入力手段と、
この入力手段により入力した情報を前記記憶手段に書き込む書き込み手段と
をさらに備えたことを特徴とする請求項１に記載のエレベータ保守管理システム。
【請求項３】
前記記憶手段に記憶される情報は、当該記憶手段が取り付けられる部品がエレベータに設置されている部品であるか否かを示す識別情報を含み、
前記記憶手段に記憶される前記識別情報を更新する更新手段をさらに備えたことを特徴とする請求項１に記載のエレベータ保守管理システム。
【請求項４】
前記読み取り手段が読み取った情報をもとにして前記エレベータの保守作業に関するノウハウ情報を生成する生成手段をさらに備えたことを特徴とする請求項１に記載のエレベータ保守管理システム。
【請求項５】
前記読み取り手段が読み取った情報をもとに、前記記憶手段が取り付けられる部品に関する検査を行なう検査手段をさらに備えたことを特徴とする請求項１に記載のエレベータ保守管理システム。
【請求項６】
前記読み取り手段は、
作業員が携行する作業員用記憶手段に記憶された予め定められた情報を読み取り、
前記読み取り手段が前記作業員用記憶手段に記憶された情報を読み取った場合に、乗りかごの運転モードを呼び登録にしたがって前記乗りかごを昇降させる通常運転モードおよび前記呼び登録の有無に関わらず前記乗りかごを手動昇降させる点検運転モードの間で切り替える運転モード切り替え手段をさらに備えたことを特徴とする請求項１に記載のエレベータ保守管理システム。
【請求項７】
前記読み取り手段は、作業員が携行する作業員用記憶手段に記憶された予め定められた情報を読み取り、
前記読み取り手段が前記作業員用記憶手段に記憶された情報を読み取った際にエレベータ各所の施錠の有効および無効を切り替える切り替え手段をさらに備えたことを特徴とする請求項１に記載のエレベータ保守管理システム。
【請求項８】
前記読み取り手段は、前記エレベータから取り外した部品に取り付けられる記憶手段に記憶される当該部品に関する情報を読み取り、
エレベータの周囲に関する物理量を測定する測定手段と、
この測定手段による測定結果および前記読み取り手段により読み取った情報をもとに、エレベータ運転に関するシミュレーションを実行する手段と
をさらに備えたことを特徴とする請求項１に記載のエレベータ保守管理システム。
【発明の詳細な説明】
【技術分野】
【０００１】
本発明は、エレベータの各種部品を管理するエレベータ保守管理システムに関する。
【背景技術】
【０００２】
従来、エレベータのメンテナンス作業の実施のために作業員はメンテナンス作業箇所や交換部品などの情報を紙に記載したり当該作業員が携行する情報端末などを用いて入カしたりしていた。また、作業員はこのようにして得た情報を支社店や事務所に持ち帰りその情報を元に報告書などの書類を作成していた。
【０００３】
このようなエレベータのメンテナンス作業に関する労力を省力化するために、例えば特許文献１に開示されるように、診断作業の際に作業員が携行する携帯用端末機に記憶させた診断結果のデータを他の装置に転送し、この転送結果をもとにエレベータの修理履歴一覧を示す情報を生成してモニタ表示させるものがある。
【特許文献１】特開平８−３１０７６０号公報
【発明の開示】
【発明が解決しようとする課題】
【０００４】
前述したような手法ではエレベータのメンテナンス作業に関する情報を得るためには保守員による多くの手作業が必要である。この場合にはメンテナンス作業に関する作業効率が悪い上に、情報の入力ミスが発生する可能性が高い。
【０００５】
そこで、本発明の目的は、エレベータのメンテナンス作業に関する作業効率を向上させることが可能になるエレベータ保守管理システムを提供することにある。
【課題を解決するための手段】
【０００６】
すなわち、本発明に係わるエレベータ保守管理システムは、エレベータの部品に取り付けられた記憶手段に記憶された当該部品に関する情報を読み取る読み取り、この読み取った情報をもとにエレベータの保守作業内容に関するデータを生成することを特徴とする。
【発明の効果】
【０００７】
本発明に係わるエレベータ保守管理システムでは、エレベータの部品に取り付けられた記憶手段に記憶された当該部品に関する情報を読み取る読み取り、この読み取った情報をもとにエレベータの保守作業内容に関するデータを生成するので、エレベータのメンテナンス作業に関する作業効率を向上させることができる。
【発明を実施するための最良の形態】
【０００８】
以下図面により本発明の実施形態について説明する。  
（第１の実施形態）
まず、本発明の第１の実施形態について説明する。  
図１は、本発明の第１の実施形態にしたがったエレベータ保守管理システムの構成例を示す模式図である。  
このエレベータ保守管理システムはエレベータの各種部品に取り付けられたＩＣタグ１、ＩＣタグリーダ／ライタ２、携帯端末３および端末装置４を用いて、ＩＣタグ１が取り付けられた部品に関するメンテナンス作業の内容を管理するシステムである。
【０００９】
ＩＣタグ１は乗場ドア５に隣接する乗場操作盤ユニット６に取り付けられる。このＩＣタグ１は乗場操作盤ユニット６に関するメンテナンスに必要な情報が記憶される。  
ＩＣタグリーダ／ライタ２は作業員が携行可能な装置であり、ＩＣタグ１に近接させることで当該ＩＣタグ１に記憶された情報を非接触により読み取る機能およびＩＣタグ１に情報を非接触により書き込む機能をさらに有する。
【００１０】
携帯端末３はＩＣタグリーダ／ライタ２を携行する作業員が同じく携行する装置であり、ＩＣタグリーダ／ライタ２によるＩＣタグ１への書き込み対象の情報の内容を入力するために用いる。  
端末装置４は作業員の所属する事務所などに設置される装置であり、ＩＣタグリーダ／ライタ２が読み取った情報を保存したり分析を行なったりするために用いる。
【００１１】
図２は、本発明の第１の実施形態にしたがったエレベータ保守管理システムで用いられるＩＣタグ１の内部回路の構成例を示す図である。  
図２に示すようにＩＣタグ１はアンテナ１１、送受信インタフェース（Ｉ／Ｆ）１２、制御部１３およびメモリ１４を備える。
【００１２】
メモリ１４には前述した乗場操作盤ユニット６に関するメンテナンスに必要な情報が記憶される。この情報は乗場操作盤ユニット６の物件情報、部品情報、出荷情報およびメンテナンス管理情報などである。これらの情報のうち変更が必要な情報は、作業員がＩＣタグリーダ／ライタ２および携帯端末３を用いることで作業現場において書き換えることができる。
【００１３】
物件情報とはエレベータの製番、エレベータ号機、建物の名称、建物の住所、営業担当者、工務担当者、設計担当者、試験担当者、工事担当者、保守担当者などである。部品情報とは、部品名称、設置箇所、設置有無識別情報、最新点検日時、製造元、販売元、管理番号、ロット番号、手配コードなどである。
【００１４】
設置有無識別情報は“１”または“０”で示される。設置有無識別情報が“１”である場合には、この部品がエレベータに現在取り付けられている部品であることを示し、設置有無識別情報が“０”である場合には、この部品が交換などにより取り外されている部品であるかを示す。
【００１５】
出荷情報とは出荷日時、手配元、発送元、受取元などである。メンテナンス管理情報とは当該部品が旧部品との交換によりエレベータに取り付けた部品である場合に、この交換に関する情報である。具体的には旧部品の情報、交換年月日、交換作業担当者の情報などである。
【００１６】
図３は、本発明の第１の実施形態にしたがったエレベータ保守管理システムで用いられるＩＣタグリーダ／ライタ２の内部回路の構成例を示す図である。  
図３に示すように、ＩＣタグリーダ／ライタ２はアンテナ２１、送受信インタフェース（Ｉ／Ｆ）２２、制御部２３、ＲＯＭ２４、ＲＡＭ２５および入出力Ｉ／Ｆ２６を備える。入出力インタフェース（Ｉ／Ｆ）２６は伝送ケーブルを介して携帯端末３と接続する。
【００１７】
ＲＯＭ２４はＩＣタグリーダ／ライタ２による各種処理に必要なシステムプログラムを記憶する。制御部２３はこのシステムプログラムを読み出して実行することでＩＣタグ１との通信などの各処理を行なう。
【００１８】
図４は、本発明の第１の実施形態にしたがったエレベータ保守管理システムで用いられる携帯端末３の内部回路の構成例を示すブロック図である。  
携帯端末３はＣＰＵ３１、ＲＯＭ３２、ＲＡＭ３３、操作部３４、表示部３５、記憶部３６、メモリカード３７および入出力インタフェース（Ｉ／Ｆ）３８を備える。これらはバス３９を介して互いに接続される。
【００１９】
ＣＰＵ３１は端末全体の制御を行なう。ＣＰＵ３１はＲＯＭ３２などに記憶されたプログラムを読み込み、そのプログラムに記述された処理を実行する。また、ＣＰＵ３１は現在日時を計時する。ＲＯＭ３２にはＣＰＵ３１を制御するためのプログラムなどが予め記憶される。ＲＡＭ３３は各種情報を一時的に記憶しておくためのワークメモリである。
【００２０】
操作部３４は各種操作キーを有し、例えばＩＣタグ１への書き込み対象の情報の内容を入力し、この情報のＩＣタグ１への書き込みをＩＣタグリーダ／ライタ２に指示する場合に用いられる。表示部３５は例えばＬＣＤ（Liquid Crystal Display）などの表示装置からなり、各種メニュー画面の表示や文字情報の表示などを行なう場合に用いられる。
【００２１】
記憶部３６はＩＣタグリーダ／ライタ２などから入力した情報を記憶する。メモリカード３７は携帯端末３に着脱自在に装着可能である。携帯端末３は記憶部３６に記憶された情報をメモリカード３７に記録してこれを端末装置４に提供することができる。入出力インタフェース３８はＩＣタグリーダ／ライタ２や端末装置４との間で情報の入出力を行なう。
【００２２】
図５は、本発明の第１の実施形態にしたがったエレベータ保守管理システムで用いられる端末装置４の内部回路の構成例を示すブロック図である。  
端末装置４はＣＰＵ４１、ＨＤＤ（ハードディスクドライブ）４２、操作部４３、表示部４４および入出力インタフェース（Ｉ／Ｆ）４５を備える。これらはバス４６を介して互いに接続される。
【００２３】
ＣＰＵ４１は端末全体の制御を行なう。ＣＰＵ４１はＨＤＤ４２に記憶されたプログラムを読み込み、そのプログラムに記述された処理を実行する。ＨＤＤ４２にはＣＰＵ４１を制御するためのプログラムなどが予め記憶される。操作部４３は各種操作キーを有する。表示部４４は各種メニュー画面の表示や文字情報の表示などを行なう場合に用いられる。
【００２４】
また、ＨＤＤ４２はＩＣタグリーダ／ライタ２や携帯端末３から入力した情報を記憶する。入出力インタフェース４５は携帯端末３との間で情報の入出力を行なう。
【００２５】
次に、図１に示した構成のエレベータ保守管理システムによる各種処理について説明する。ここではＩＣタグリーダ／ライタ２の入出力インタフェース２６と携帯端末３の入出力インタフェース３８がケーブルで接続されていると仮定する。
【００２６】
まず、作業員がＩＣタグ１が取り付けられた部品を含む機器の動作確認を行なう場合の各種機器の処理について説明する。作業員は前述した機器の動作確認が終了し、携帯端末３の操作部３４に対する予め定められた操作を行なうことで、動作モードの書き込みモードへの設定の指示および動作確認を行なった機器に取り付けられるＩＣタグ１に記憶された最新点検日時の更新の指示を行なう。
【００２７】
すると、携帯端末３のＣＰＵ３１はＩＣタグリーダ／ライタ２の動作モードを書き込みモードに設定する旨およびＣＰＵ３１が計時する現在日時の情報をＩＣタグ１に書き込む旨を示す制御信号を入出力インタフェース３８からＩＣタグリーダ／ライタ２に出力する。この制御信号は前述した現在日時の情報を含む。
【００２８】
ＩＣタグリーダ／ライタ２の入出力インタフェース２６が携帯端末３からの制御信号を入力すると制御部２３は動作モードを書き込みモードに設定した上で、携帯端末３により計時した現在日時の情報のＩＣタグ１への反映を指示する旨の制御信号を送受信インタフェース２２に出力する。送受信インタフェース２２は制御部２３から入力した情報を変調し、これをアンテナ２１を介してＩＣタグ１に電磁波として送信する。
【００２９】
この送信された電磁波をＩＣタグ１のアンテナ１１が受信すると、送受信インタフェース１２はこれを復調して制御部１３に出力する。制御部１３はメモリ１４に記憶される最新点検日時の情報を復調後の制御信号に含まれる現在日時の情報を新たな情報に書き換える。これにより、ＩＣタグ１に記憶された最新点検日時が新しく行なった点検作業時の日時に更新される。
【００３０】
次に、ＩＣタグ１に記憶された各種情報を読み取って携帯端末３に保存する処理について説明する。  
作業員は携帯端末３の操作部３４に対する予め定められた操作を行なうことで、動作モードの読み取りモードへの設定の指示を行なう。
【００３１】
すると、携帯端末３のＣＰＵ３１はＩＣタグリーダ／ライタ２の動作モードを読み取りモードに設定する旨を示す制御信号を入出力インタフェース３８からＩＣタグリーダ／ライタ２に出力する。
【００３２】
ＩＣタグリーダ／ライタ２の入出力インタフェース２６が携帯端末３からの制御信号を入力すると制御部２３は動作モードを読み取りモードに設定する。ＩＣタグリーダ／ライタ２は動作モードが読み取りモードである場合にはＩＣタグ１と通信するための電磁波をアンテナ２１から送信する。
【００３３】
作業員がＩＣタグリーダ／ライタ２を携行することでＩＣタグリーダ／ライタ２がＩＣタグ１に接近すると、電磁誘導作用によりＩＣタグリーダ／ライタ２のアンテナ２１からＩＣタグ１のアンテナ１１を介してＩＣタグ１内の図示しない電源回路に電源電圧が供給される。この電源回路はこの電源電圧の整流および変圧を行なってこれを各デバイスに供給する。
【００３４】
すると、ＩＣタグ１のアンテナ１１はＩＣタグリーダ／ライタ２のアンテナ２１から発せられた電磁波を受信する。ＩＣタグ１の送受信インタフェース１２はアンテナ１１が受信した電磁波を復調して得た信号を制御部１３に出力する。
【００３５】
制御部１３は、送受信インタフェース１２からの信号を入力するとメモリ１４に記憶された各種情報を読み出して、これを送受信インタフェース１２に出力する。送受信インタフェース１２は制御部１３から入力した情報を変調し、これをアンテナ１１を介してＩＣタグリーダ／ライタ２に電磁波として送信する。
【００３６】
この送信された電磁波をＩＣタグリーダ／ライタ２のアンテナ２１が受信すると、送受信インタフェース２２はこれを復調して制御部２３に出力する。制御部２３はこの入力した情報を入出力インタフェース２６から携帯端末３に出力する。
【００３７】
携帯端末３はＩＣタグリーダ／ライタ２からの情報を入出力インタフェース３８により入力すると、これを記憶部３６に記憶する。
【００３８】
作業員が携帯端末３を携行して、この携帯端末３の入出力インタフェース３８をケーブルを介して端末装置４の入出力インタフェース４５と接続した状態で、作業員が携帯端末３の操作部３４に対する所定の操作を行なうことでＩＣタグリーダ／ライタ２から入力した情報の端末装置４への転送を指示すると、携帯端末３は記憶部３６に記憶された情報であるＩＣタグリーダ／ライタ２からの情報を入出力インタフェース３８から端末装置４に出力する。
【００３９】
端末装置４は携帯端末３からの情報を入出力インタフェース４５により入力すると、これをＨＤＤ４２に記憶する。端末装置４は、作業員による操作部４３に対する所定の操作によるメンテナンス作業報告書の作成を指示された際は、ＨＤＤ４２に記憶された携帯端末３からの情報をもとに所定の様式に従ったメンテナンス作業報告書のモニタ表示をさせたり外部の印刷装置に印刷させたりする。
【００４０】
また、携帯端末３が端末装置４との無線通信機能を有している場合には、携帯端末３は記憶部３６に記憶された情報であるＩＣタグリーダ／ライタ２からの情報を図示しない無線通信用インタフェースから端末装置４に出力することができる。これにより、作業員が作業現場から携帯端末３を事務所に持ち帰らずとも、メンテナンス作業に関する情報を端末装置４に保存することができる。
【００４１】
また、作業員が携帯用の印刷装置を携行しており、この印刷装置をケーブルを介して携帯端末３の入出力インタフェース３８と接続した場合には、携帯端末３は作業員による操作部３４に対する所定の操作によるメンテナンス作業報告書の作成・印刷を指示された際は、記憶部３６に記憶された情報をもとに所定の様式に従ったメンテナンス作業報告書の作成を行ない、この作成した作業報告書の印刷を指示する制御信号を入出力インタフェース３８を介して印刷装置に出力する。これにより作業員は作業現場においてメンテナンス作業報告書を作成・印刷することができる。
【００４２】
また、携帯端末３がエレベータ建物の管理者などの顧客が所有する端末装置との通信機能を有している場合には、携帯端末３は記憶部３６に記憶された情報であるＩＣタグリーダ／ライタ２からの情報を図示しない通信用インタフェースから顧客の端末装置に出力することができる。これにより、作業員はメンテナンス作業の内容を作業現場から顧客に報告することができる。
【００４３】
次に、ＩＣタグ１が取り付けられた部品の交換作業を行なう場合の各種機器の処理について説明する。  
まず、作業員が交換作業により取り外した部品に取り付けられたＩＣタグ１に記憶された設置有無識別情報をエレベータに設置されていない事を示す情報に書き換えるために、携帯端末３の操作部３４に対する予め定められた操作を行なうことで、動作モードの書き込みモードへの設定の指示および設置有無識別情報の“０”への更新の指示を行なう。
【００４４】
すると、携帯端末３のＣＰＵ３１は動作モードを書き込みモードに設定した上で、設置有無識別情報の“０”への更新の指示を示す制御信号を入出力インタフェース３８からＩＣタグリーダ／ライタ２に出力する。
【００４５】
ＩＣタグリーダ／ライタ２の入出力インタフェース２６が携帯端末３からの制御信号を入力すると制御部２３はＩＣタグ１に記憶される設置有無識別情報の“０”への更新の指示を示す制御信号を送受信インタフェース２２に出力する。送受信インタフェース２２は制御部２３から入力した情報を変調し、これをアンテナ２１を介してＩＣタグ１に電磁波として送信する。
【００４６】
この送信された電磁波をＩＣタグ１のアンテナ１１が受信すると、送受信インタフェース１２はこれを復調して制御部１３に出力する。制御部１３はメモリ１４に記憶される設置有無識別情報の“０”に更新する。
【００４７】
また、作業員が交換作業により新たにエレベータに取り付けられたＩＣタグ１に記憶された設置有無識別情報をエレベータに設置されている事を示す情報に書き換えるために、携帯端末３の操作部３４に対する予め定められた操作を行なうことで、動作モードの書き込みモードへの設定の指示および設置有無識別情報の“１”への更新の指示を行なう。
【００４８】
すると、携帯端末３のＣＰＵ３１は設置有無識別情報の“１”への更新の指示を示す制御信号を入出力インタフェース３８からＩＣタグリーダ／ライタ２に出力する。
【００４９】
ＩＣタグリーダ／ライタ２の入出力インタフェース２６が携帯端末３からの制御信号を入力すると制御部２３はＩＣタグ１に記憶される設置有無識別情報の“１”への更新の指示を示す制御信号を送受信インタフェース２２に出力する。送受信インタフェース２２は制御部２３から入力した情報を変調し、これをアンテナ２１を介してＩＣタグ１に電磁波として送信する。
【００５０】
この送信された電磁波をＩＣタグ１のアンテナ１１が受信すると、送受信インタフェース１２はこれを復調して制御部１３に出力する。制御部１３はメモリ１４に記憶される設置有無識別情報の“１”に更新する。
【００５１】
このようにして設置有無識別情報を更新したＩＣタグ１に記憶される情報を前述したようにＩＣタグリーダ／ライタ２を用いて読み取り、この情報を読み取った情報をもとにして端末装置４などにより設置有無識別情報の項目を含んだメンテナンス作業報告書などを作成すれば、この作業報告書の閲覧者は交換作業によりエレベータから取り外した部品や新たにエレベータに取り付けた部品の確認が容易に行なえる。
【００５２】
以上のように、本発明の第１の実施形態にしたがったエレベータ保守管理システムでは、エレベータにおいて動作確認を行なった機器の情報や交換により取り外したり新たに取り付けたりした部品の情報を容易に得ることができるので、メンテナンス作業の効率を大幅に向上させることができる。
【００５３】
また、本発明の第１の実施形態にしたがったエレベータ保守管理システムの端末装置４は前述のように得たメンテナンス作業に関する情報を分析して、メンテナンス作業のノウハウ情報を生成する機能を有する。
【００５４】
具体的には、端末装置４のＣＰＵ４１はＨＤＤ４２に記憶されるＩＣタグ１からの情報を分析して、例えば最適な作業手順や現在エレベータに設置される機器の安全な取り扱い方法などを示す情報を生成し、これをモニタ表示したり外部の印刷装置に印刷させたりする。
【００５５】
また、本発明の第１の実施形態にしたがったエレベータ保守管理システムの携帯端末３は、ＩＣタグリーダ／ライタ２が読み取った情報をもとに、この読み取った情報と対応する部品の交換の必要性の有無を診断する機能を有する。
【００５６】
具体的には、携帯端末３の記憶部３６はＩＣタグ１が取り付けられる各種部品の耐用月数の情報を部品名称や製造元ごとに区分して記憶している。耐用月数とは部品の製造日から安全な運用が可能な標準的な月数である。
【００５７】
まず、作業員が携帯端末３の操作部３４に対する予め定められた操作を行なうことで、携帯端末３の動作モードの部品寿命診断モードへの設定の指示を行なうと、携帯端末３のＣＰＵ３１は動作モードを部品寿命診断モードに設定する。すると、携帯端末３は動作モードが前述した読み取りモードにある場合と同様に、ＩＣタグ１に記憶された情報の読み出しをＩＣタグリーダ／ライタ２に指示する。すると、ＩＣタグリーダ／ライタ２はＩＣタグ１に記憶される情報を読み取り、これをＩＣタグリーダ／ライタ２に送信する。ＩＣタグリーダ／ライタ２はＩＣタグ１からの情報を受信すると、これを携帯端末３に出力する。
【００５８】
携帯端末３の入出力インタフェース３８がＩＣタグリーダ／ライタ２からの情報を入力すると、ＣＰＵ３１はこの情報から部品名称、製造元および製造年月日の情報を抽出する。ＣＰＵ３１はこの抽出した情報、計時する現在日時および記憶部３６に記憶される各種部品の耐用月数の情報とを照合することで、抽出した情報と対応する部品の製造年月日からの耐用月数が経過したか否かを判別する。
【００５９】
ＣＰＵ３１はこの結果、抽出した情報と対応する部品の製造年月日からの耐用月数が経過した、または、耐用月数以内の予め定められた月数となったと判別した場合には、該当する部品の交換を促すメッセージを表示部３５に表示させる。このような処理を行なうことで、作業員は点検対象の部品にＩＣタグリーダ／ライタ２を近接させるだけで当該部品が交換の必要があるか否かを作業現場において確認することができる。
【００６０】
（第２の実施形態）
次に、本発明の第２の実施形態について説明する。なお、本実施形態に係るエレベータ保守管理システムの構成は図１に示したものと基本的にほぼ同様であるので同一部分の説明は省略する。  
図６は、本発明の第２の実施形態にしたがったエレベータ保守管理システムの構成例を示す模式図である。
【００６１】
このエレベータ保守管理システムは作業員が携行するＩＣタグ７を乗場ドア５付近の据付型ＩＣタグリーダ／ライタ８に近接させることでエレベータの運転モードを通常運転モードおよび点検運転モードの間で切り替える機能を有する。通常運転モードとは呼び登録にしたがって乗りかご３を昇降させる運転モードであり、点検運転モードとは呼び登録の有無に関係なく例えば乗りかご内の点検運転操作器の手動操作にしたがって乗りかご３を昇降させる運転モードである。
【００６２】
ＩＣタグ７の内部回路の構成は図２に示したＩＣタグ１の内部回路の構成と同様である。ただしＩＣタグ７のメモリ１４には当該ＩＣタグ７を携行する作業員の個人情報が記憶される。
【００６３】
据付型ＩＣタグリーダ／ライタ８の内部回路の構成は図３に示したＩＣタグリーダ／ライタ２の内部回路の構成と同様である。ただし、据付型ＩＣタグリーダ／ライタ８の入出力インタフェース２６はエレベータ制御盤９と接続される。
【００６４】
次に、このような構成のエレベータ保守管理システムの処理動作について説明する。  
作業員がＩＣタグ７を携行することでＩＣタグ７が据付型ＩＣタグリーダ／ライタ８に接近すると、電磁誘導作用により据付型ＩＣタグリーダ／ライタ８のアンテナ２１からＩＣタグ７のアンテナ１１を介してＩＣタグ７内の図示しない電源回路に電源電圧が供給される。
【００６５】
すると、ＩＣタグ７のアンテナ１１は据付型ＩＣタグリーダ／ライタ８のアンテナ２１から発せられた電磁波を受信する。ＩＣタグ７の送受信インタフェース１２はアンテナ１１が受信した電磁波を復調して得た信号を制御部１３に出力する。
【００６６】
制御部１３は、送受信インタフェース１２からの信号を入力するとメモリ１４に記憶された作業員の個人情報を読み出して、これを送受信インタフェース１２に出力する。送受信インタフェース１２は制御部１３から入力した情報を変調し、これをアンテナ１１を介して据付型ＩＣタグリーダ／ライタ８に電磁波として送信する。
【００６７】
この送信された電磁波を据付型ＩＣタグリーダ／ライタ８のアンテナ２１が受信すると、送受信インタフェース２２はこれを復調して制御部２３に出力する。制御部２３は作業員の個人情報の入力にともない、運転モードの切り替えを指示するための制御信号をエレベータ制御盤９に出力する。
【００６８】
エレベータ制御盤９は据付型ＩＣタグリーダ／ライタ８からの制御信号を入力すると、乗りかご３の現在の運転モードが通常運転モードである場合には運転モードを点検運転モードに設定する。また、エレベータ制御盤９は据付型ＩＣタグリーダ／ライタ８からの制御信号を入力すると、乗りかご３の現在の運転モードが点検運転モードである場合には運転モードを通常運転モードに設定する。エレベータ制御盤９は前述のように設定した運転モードにしたがって乗りかごの昇降を制御する。
【００６９】
このような処理を行なうことで、作業員は所持するＩＣタグ７をエレベータに据え付けられる据付型ＩＣタグリーダ／ライタ８に近接させるだけでエレベータの運転モードを切り替えることができる。
【００７０】
（第３の実施形態）
次に、本発明の第３の実施形態について説明する。なお、本実施形態に係るエレベータ保守管理システムの構成は図６に示したものと基本的にほぼ同様であるので同一部分の説明は省略する。  
図７は、本発明の第３の実施形態にしたがったエレベータ保守管理システムの構成例を示す模式図である。
【００７１】
このエレベータ保守管理システムは作業員が携行するＩＣタグ７を乗場ドア５付近の据付型ＩＣタグリーダ／ライタ８に近接させることでエレベータの機械室電気錠１０の施錠および解錠を行なう機能を有する。機械室電気錠１０は機械室のドアに設けられる。機械室電気錠１０が解錠されると、作業員が鍵を用いなくても機械室のドアを開ける事ができるように機械室のドアの図示しない施錠機構が動作する。一方、機械室電気錠１０が施錠されると、作業員が鍵を用いずに機械室のドアを開ける事ができないように機械室の施錠機構が動作する。
【００７２】
次に、このような構成のエレベータ保守管理システムの処理動作について説明する。  
作業員がＩＣタグ７を携行することでＩＣタグ７が据付型ＩＣタグリーダ／ライタ８に接近すると、電磁誘導作用により据付型ＩＣタグリーダ／ライタ８のアンテナ２１からＩＣタグ７のアンテナ１１を介してＩＣタグ７内の図示しない電源回路に電源電圧が供給される。
【００７３】
すると、ＩＣタグ７のアンテナ１１は据付型ＩＣタグリーダ／ライタ８のアンテナ２１から発せられた電磁波を受信する。ＩＣタグ７の送受信インタフェース１２はアンテナ１１が受信した電磁波を復調して得た信号を制御部１３に出力する。
【００７４】
制御部１３は、送受信インタフェース１２からの信号を入力するとメモリ１４に記憶された作業員の個人情報を読み出して、これを送受信インタフェース１２に出力する。送受信インタフェース１２は制御部１３から入力した情報を変調し、これをアンテナ１１を介して据付型ＩＣタグリーダ／ライタ８に電磁波として送信する。
【００７５】
この送信された電磁波を据付型ＩＣタグリーダ／ライタ８のアンテナ２１が受信すると、送受信インタフェース２２はこれを復調して制御部２３に出力する。制御部２３は作業員の個人情報の入力にともない、機械室電気錠１０の施錠および解錠の切り替えを指示するための制御信号をエレベータ制御盤９に出力する。
【００７６】
エレベータ制御盤９は機械室電気錠１０が施錠されているか解錠されているかを認識している。エレベータ制御盤９は据付型ＩＣタグリーダ／ライタ８からの制御信号を入力すると、機械室電気錠１０が施錠されている場合には機械室電気錠１０を解錠する。また、エレベータ制御盤９は据付型ＩＣタグリーダ／ライタ８からの制御信号を入力すると、機械室電気錠１０が解錠されている場合には機械室電気錠１０を施錠する。
【００７７】
このような処理を行なうことで、作業員は所持するＩＣタグ７をエレベータに据え付けられる据付型ＩＣタグリーダ／ライタ８に近接させるだけで機械室のドアの施錠および解錠を行なうことができる。
【００７８】
この実施形態ではＩＣタグ７および据付型ＩＣタグリーダ／ライタ８を用いて機械室電気錠１０の施錠および解錠を切り替える構成としたが、これに限らず、例えば各階床の乗場ドアの施錠機構と対応する電気錠を設け、前述したようにＩＣタグ７が据付型ＩＣタグリーダ／ライタ８に近接したことをエレベータ制御盤９に認識させることで、この電気錠の施錠および解錠を切り替える構成としてもよい。
【００７９】
（第４の実施形態）
次に、本発明の第４の実施形態について説明する。なお、本実施形態に係るエレベータ保守管理システムの構成のうち図１に示したものと同一部分の説明は省略する。  
図８は、本発明の第４の実施形態にしたがったエレベータ保守管理システムの構成例を示す模式図である。
【００８０】
このエレベータ保守管理システムは、乗りかごの昇降や各種機器の動作の異常にともなう交換作業によりエレベータから取り外した部品に関する環境情報を取得して、この部品の品質調査や寿命予測を行なう機能を有する。
【００８１】
ここでは、乗場ドア５に隣接して設けられる乗場操作盤ユニット６を取り外して新しい乗場操作盤ユニット５１を取り付けた場合について説明する。乗場操作盤ユニット６には当該乗場操作盤ユニット６のメンテナンスに必要な情報を記憶したＩＣタグ１が取り付けられ、乗場操作盤ユニット５１には当該乗場操作盤ユニット５１のメンテナンスに必要な情報を記憶したＩＣタグ５２が取り付けられる。
【００８２】
また、乗場ドア５の近傍には温度センサ５３および振動センサ５４が設けられる。エレベータの機械室には演算装置５５が設けられる。演算装置５５は温度センサ５３、振動センサ５４およびエレベータ制御盤９と接続される。
【００８３】
温度センサ５３は定期的に周囲の温度を測定し、この情報を含んだ信号を演算装置５５に出力する。振動センサ５４は定期的に乗りかごの運転などに伴う周囲の振動を測定し、この情報を含んだ信号を演算装置５５に出力する。
【００８４】
また、エレベータ制御盤９は乗りかごの昇降回数をカウントし、この情報を演算装置５５に出力する。演算装置５５は温度センサ５３や振動センサ５４が過去１ヶ月間に測定して得た情報およびエレベータ制御盤９が得た最新の昇降回数の情報を記憶する。
【００８５】
次に、このような構成のエレベータ保守管理システムの処理動作について説明する。ここではＩＣタグリーダ／ライタ２の入出力インタフェース２６がケーブルを介して端末装置４の入出力インタフェース４５と接続され、演算装置５５が有線ケーブルを介して端末装置４の入出力インタフェース４５と接続されていると仮定する。
【００８６】
作業員が前述したように取り外した乗場操作盤ユニット６を携行することでこれに取り付けられたＩＣタグ１がＩＣタグリーダ／ライタ２に接近すると、電磁誘導作用によりＩＣタグリーダ／ライタ２のアンテナ２１からＩＣタグ１のアンテナ１１を介してＩＣタグ１内の図示しない電源回路に電源電圧が供給される。
【００８７】
すると、ＩＣタグ１のアンテナ１１はＩＣタグリーダ／ライタ２のアンテナ２１から発せられた電磁波を受信する。ＩＣタグ１の送受信インタフェース１２はアンテナ１１が受信した電磁波を復調して得た信号を制御部１３に出力する。
【００８８】
制御部１３は、送受信インタフェース１２からの信号を入力するとメモリ１４に記憶された各種情報を読み出して、これを送受信インタフェース１２に出力する。送受信インタフェース１２は制御部１３から入力した情報を変調し、これをアンテナ１１を介してＩＣタグリーダ／ライタ２に電磁波として送信する。
【００８９】
この送信された電磁波をＩＣタグリーダ／ライタ２のアンテナ２１が受信すると、送受信インタフェース２２はこれを復調して制御部２３に出力する。制御部２３は送受信インタフェース２２から入力した情報を入出力インタフェース２６から有線ケーブルを介して端末装置４に出力する。
【００９０】
端末装置４はＩＣタグリーダ／ライタ２からの情報を入出力インタフェース４５から入力すると、環境情報を取得するために、環境情報の出力を指示するための制御信号を入出力インタフェース４５から演算装置５５に出力する。演算装置５５は端末装置４からの制御信号を入力すると、温度センサ５３や振動センサ５４から入力して記憶した情報およびエレベータ制御盤９から入力した情報を有線ケーブルを介して端末装置４に出力する。
【００９１】
ＩＣタグリーダ／ライタ２や演算装置５５からの情報を端末装置４が入出力インタフェース４５から入力すると、端末装置４のＣＰＵ４１はこれら入力した情報に基づいて乗りかごの昇降に関するシミュレーションを実行し、この結果をモニタ表示する。
【００９２】
シミュレーション結果では過去１ヶ月間の乗りかごの昇降動作や各種機器の動作の内容が示される。作業員はこの結果を参照することで、前述のように取り外した部品が周囲の環境の影響により交換の必要が生じたのかその他の理由で交換の必要が生じたのかを把握することができる。
【００９３】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００９４】
【図１】本発明の第１の実施形態にしたがったエレベータ保守管理システムの構成例を示す模式図。
【図２】本発明の第１の実施形態にしたがったエレベータ保守管理システムで用いられるＩＣタグの内部回路の構成例を示す図。
【図３】本発明の第１の実施形態にしたがったエレベータ保守管理システムで用いられるＩＣタグリーダ／ライタの内部回路の構成例を示す図。
【図４】本発明の第１の実施形態にしたがったエレベータ保守管理システムで用いられる携帯端末の内部回路の構成例を示すブロック図。
【図５】本発明の第１の実施形態にしたがったエレベータ保守管理システムで用いられる端末装置の内部回路の構成例を示すブロック図。
【図６】本発明の第２の実施形態にしたがったエレベータ保守管理システムの構成例を示す模式図。
【図７】本発明の第３の実施形態にしたがったエレベータ保守管理システムの構成例を示す模式図。
【図８】本発明の第４の実施形態にしたがったエレベータ保守管理システムの構成例を示す模式図。
【符号の説明】
【００９５】
１，５２…ＩＣタグ、２…ＩＣタグリーダ／ライタ、３…携帯端末、４…端末装置、５…乗場ドア、６，５１…乗場操作盤ユニット、７…作業員用ＩＣタグ、８…据え付け型ＩＣタグリーダ／ライタ、９…エレベータ制御盤、１０…機械室電気錠、１１，２１…アンテナ、１２，２２…送受信インタフェース、１３，２３…制御部、１４…メモリ、２４，３２…ＲＯＭ、２５，３３…ＲＡＭ、２６，３８，４５…入出力インタフェース、３１，４１…ＣＰＵ、３４，４３…操作部、３５，４４…表示部、３６…記憶部、３７…メモリカード、３９，３６…バス、４２…ＨＤＤ、５３…温度センサ、５４…振動センサ、５５…演算装置。
【図１】
2007084191.tif 000003
【図２】
2007084191.tif 000004
【図３】
2007084191.tif 000005
【図４】
2007084191.tif 000006
【図５】
2007084191.tif 000007
【図６】
2007084191.tif 000008
【図７】
2007084191.tif 000009
【図８】
2007084191.tif 000010